(57)【特許請求の範囲】
【請求項１】
固定フードと、
起伏操作される操作レバーを有し、操作レバーが起立されることによって固定フードに対して移動可能となり、倒伏されることによって固定フードに対して移動不能となる可動フードとを備えたリールシートにおいて、
上記操作レバーは、倒伏されたときに可動フードの上面を覆い且つ可動フードの側面に滑らかに連続するように形成されたレバー本体及び当該レバー本体の先端部に設けられ、固定フード側へ延びる延設部を有し、
当該延設部は、固定フード及び可動フードによって挟持固定された釣用リールの脚に滑らかに連続するように形成されており、当該延設部の先端に上記側面に沿って延びる摘み部が形成されており、
上記摘み部は、可動フードとの間に指が掛かる隙間が形成されるように切欠部を備えているリールシート。
【請求項２】
上記摘み部は、レバー本体の両側に対称に配置されている請求項１に記載のリールシート。
【請求項３】
上記摘み部は、半円形に形成されている請求項１又は２に記載のリールシート。
【請求項４】
釣用リールの脚が載置される載置面が設けられており、操作レバーが倒伏された状態で、上記載置面に対する上記摘み部の下縁の高さは、上記載置面に対する上記可動フードの下縁の高さと同一である請求項１ないし３のいずれかに記載のリールシート。
【請求項５】
細長筒状に形成された釣竿本体と、
釣竿本体に設けられた請求項１ないし４のいずれかに記載のリールシートとを備えた釣竿。
【発明の詳細な説明】
【技術分野】
【０００１】
本発明は、釣用リールの脚を固定するリールシートの構造に関するものである。
【背景技術】
【０００２】
魚釣りでは、釣用リール（以下、単に「リール」と称される。）が使用されることがある。リールは、長尺の釣糸をスプールに巻き取って保持することができると共に、釣人の必要に応じて釣糸を放出することができる。リールは、一般に釣竿に装着され、上記スプールが設けられた駆動系本体及び釣竿に取り付けられる脚部を備えている。釣竿は、一般にリールを固定するリールシートを備えており、リールシートが上記脚部を保持するようになっている（例えば、特許文献１、特許文献２参照）。
【０００３】
図９は、従来のリールシートの構造を示す斜視図である。同図が示すように、リールシート１０１は、シート本体１０２並びに固定フード１０３及び可動フード１０４を備えている。シート本体１０２は、リールの脚部１０５が載置される載置面１０６を備えている。可動フード１０４は、固定フード１０３に対して矢印１０７の方向に沿ってスライドすることができるようになっている。上記脚部１０５が上記載置面１０６に載置された状態で可動フード１０４が固定フード１０３側にスライドすることによって、上記脚部１０５は、固定フード１０３及び可動フード１０４によって挟み込まれる。なお、可動フード１０４はロック機構１０８を備えており、釣人は、上記載置面１０６上の所望の位置で可動フード１０４を固定することができる。このロック機構１０８は、矢印１０９の方向に沿って起伏動作するロックレバー１１０を備えている。ロックレバー１１０が起立することによって可動フード１０４のロックが解除され、可動フード１０４は矢印１０７の方向に自由にスライドすることができる。可動フード１０４及び固定フード１０３が上記脚部１０５を挟持した状態でロックレバー１１０が倒伏されることにより（同図の状態）可動フード１０４が固定される。これにより、リールが釣竿に装着される。
【０００４】
【特許文献１】特開２００６−２５６８７号公報
【特許文献２】実開昭６４−２８８６８号公報
【発明の開示】
【発明が解決しようとする課題】
【０００５】
可動フード１０４は、係合片１１３が形成されたフード本体１１１と、このフード本体１１１の先端に設けられた樹脂パッド１１２と、上記ロックレバー１１０とを備えている。他方、上記シート本体１０２はスライド溝１１４を備えている。同図が示すように、このスライド溝１１４に上記係合片１１３が嵌め込まれており、これにより、フード本体１１１が矢印１０７の方向にスライドする。樹脂パッド１１２は、リールの脚部１０５に当接し、当該脚部１０５を確実に固定する。ロックレバー１１０は、倒伏されることにより（同図が示す状態）、フード本体１１１及び樹脂パッド１１２の一部を覆うように配置される。
【０００６】
このとき、ロックレバー１１０は、フード本体１１１から外側に張り出し、且つ樹脂パッド１１２との間に大きな段差部１１５を形成する。釣人は、実釣時にリールシート１０１をリールの脚部１０５と共に把持することから、指にロックレバー１１０の張出部分や上記段差部１１５が接触して違和感がある。特にターゲットとなる魚が大型の場合は、ヒットしたときに釣人はリールシート１０１を強く握る必要があり、指に痛みを感じる場合もあった。この問題を解決するために、可動フード１０４のフラッシュサーフェイス処理が効果的な手段である（特許文献２参照）。しかしながら、可動フード１０４にフラッシュサーフェイス処理が施されると、ロックレバー１１０の操作性が低下し、リールの着脱が困難になるという第２の問題が生じる。この第２の問題は、釣人にとって実用上深刻なものではないが、ロックレバー１１０は、より高い操作性が求められている。
【０００７】
本発明はかかる背景のもとになされたものであって、その目的は、リールの着脱が容易であり、しかも、釣人が違和感なく把持することができるリールシート及びこれを備えた釣竿を提供することである。
【課題を解決するための手段】
【０００８】
上記目的が達成されるため、本発明に係るリールシートは、以下の構成を備える。
【０００９】
(1) 請求項１に係る発明の構成及び作用効果
【００１０】
請求項１に係るリールシートは、固定フードと、可動フードとを備える。可動フードは、起伏操作される操作レバーを有する。操作レバーが起立されることによって可動フードが固定フードに対して移動可能となり、操作レバーが倒伏されることによって可動フードが固定フードに対して移動不能となる。上記操作レバーは、レバー本体及び延設部を有する。レバー本体は、倒伏されたときに可動フードの上面を覆い且つ可動フードの側面に滑らかに連続するように形成される。延設部は、このレバー本体の先端部に設けられ、固定フード側へ延びている。この延設部は、固定フード及び可動フードによって挟持固定された釣用リールの脚に滑らかに連続するように形成されている。この延設部の先端に上記側面に沿って延びる摘み部が形成されている。この摘み部は、可動フードとの間に指が掛かる隙間が形成されるように切欠部を備えている。
【００１１】
この構成では、釣用リールは、次の要領でリールシートに固定される。
【００１２】
釣用リールの脚がリールシートに載置され、当該脚の一方側が固定フードに収容される。操作レバーが起立されると、可動フードが固定フードに対して移動可能となる。可動フードが固定フード側へスライドされ、上記脚の他方側が可動フードに収容される。この状態で、釣用リールの脚は、固定フード及び可動フードによって挟み込まれる。そして、操作レバーが倒伏されると、可動フードが固定フードに対して移動不能となり、釣用リールの脚が可動フード及び固定フードによって挟持固定される。
【００１３】
操作レバーが倒伏されると、レバー本体が可動フードの上面を覆う。しかも、レバー本体は可動フードの側面に滑らかに連続し、両者間に段差が形成されることがない。さらに、レバー本体に設けられた延設部は、上記釣用リールの脚に滑らかに連続する。したがって、操作レバーの外縁は、可動フードの外縁及び上記釣用リールの脚（少なくとも当該脚の他方側）との間に大きな隙間や段差等を形成することなく滑らかに連続することになる。また、上記延設部に摘み部が設けられているから、釣人は、この摘み部を摘むことによって容易に操作レバーを倒伏させ、起立させることができる。しかも、この摘み部は、操作レバーの先端部に設けられているから、釣人にとって操作レバーの起伏動作が容易である。さらに、釣人が摘み部を摘んだときに、指が摘み部と可動フードとの間に形成された隙間に食い込むようにして引っ掛かる。したがって、釣人は、操作レバーの起立操作を一層容易に行うことができる。加えて、この摘み部は、可動フードの側面に沿って延びているから、摘み部が設けられることによって操作レバーの外縁と可動フードの外縁との間に段差や突起が形成されることもない。
【００１４】
このように、操作レバーの外縁と可動フードの外縁及び釣用リールの脚との間に段差や突起が形成されることがないので、釣人は、釣用リールが装着されたリールシートを違和感なく把持することができる。その結果、実釣において釣竿を長時間にわたって快適に操作することができ、仮に大型の魚が掛かった場合であっても、手や指に痛みを感じることもない。しかも、操作レバーに摘み部が設けられているから、操作レバーを簡単に操作して可動フードをスライドさせることができる。その結果、釣人は、釣用リールの着脱を容易に行うことができる。
【００１５】
(2) 請求項２に係る発明の構成及び作用
【００１６】
請求項２に係るリールシートでは、上記摘み部は、レバー本体の両側に対称に配置されている。
【００１７】
この構成によれば、釣人は、二本の指（例えば親指と人差し指）で摘み部を把持することができる。したがって、釣人は、きわめて容易に摘み部を摘んで操作レバーを操作することができるという利点がある。
【００１８】
(3) 請求項３に係る発明の構成及び作用
【００１９】
請求項３に係るリールシートでは、上記摘み部は、上記載置面側に凸となる半円形に形成されている。
【００２０】
この構成では、摘み部は釣人にとって非常に把持し易いものであり、しかも簡単に且つ安価に構成されるという利点がある。
【００２１】
(4) 請求項４に係る発明の構成及び作用
【００２５】
請求項４に係るリールシートでは、釣用リールの脚が載置される載置面が設けられており、操作レバーが倒伏された状態で、上記載置面に対する上記摘み部の下縁の高さは、上記載置面に対する上記可動フードの下縁の高さと同一に設定されている。
【００２６】
この構成では、釣用リールは載置面に確実に安定的に載置されるので、固定フード及び可動フードによって一層確実に固定される。また、操作レバーが倒伏されたときは、上記摘み部の下縁と可動フードの下縁とが同じ高さとなるので、操作レバーと可動フードとがより滑らかに連続する。したがって、釣人は、より一層リールシート及び釣用リールを握り易くなる。
【００２７】
(5) 請求項５に係る発明の構成
【００２８】
請求項５に係る釣竿は、上記リールシートが釣竿本体に設けられることによって構成され得る。
【発明を実施するための最良の形態】
【００２９】
以下、適宜図面が参照されつつ、好ましい実施形態に基づいて本発明が詳細に説明される。
【００３０】
＜１．全体構成と特徴点＞
【００３１】
図１は、本発明の一実施形態に係る釣竿の正面図である。
【００３２】
この釣竿１０は、いわゆるインナーガイドタイプの振出式釣竿である。釣竿１０は、釣竿本体１１及びグリップ１２を備えている。グリップ１２は、釣人が釣竿１０を把持する部分である。
【００３３】
釣竿本体１１は、５つの筒状部材１３〜１７から構成されている。各筒状部材１３〜１７は、それぞれ「節」と称され、釣竿本体１１の先端側から順に第１番節１３、第２番節１４と称される。第４番節１６は、特に「元上節」と称され、第５番節１７は、特に「元節」と称される。各節１３〜１７は、既知の要領で構成される。例えば、カーボン繊維強化樹脂シート（プリプレグ）が所定形状に裁断され、これがマンドレルの周囲に巻回される。プリプレグが所定温度にて焼成され、マンドレルが引き抜かれることによって、円筒状の節１３〜１７が形成される。この釣竿１０では、第４番節１６（すなわち元上節１６）が第５番節１７（すなわち元節１７）に対して伸縮するズーム機構を搭載している。もっともこのズーム機構は任意的なものであって、当該機構は省略される場合もある。
【００３４】
第１番節１３は第２番節１４の内部に引き出し自在に収容されている。また、第１番節１３の先端には、釣糸が導き出されるトップガイド１８が設けられている。第１番節１３はテーパ状に形成されており、先端部の外径よりも後端部の外径の方が大きくなるように形成されている。そして、第１番節１３の後端径は、第２番節１４の先端径よりも大きく設定されており、第１番節１３が第２番節１４から引き出された際に、第１番節１３の後端部分が第２番節１４の先端部分と嵌合して両者が固定されるようになっている。なお、第２番節１４と第３番節１５との関係及び第３番節１５と元上節１６との関係も同様である。
【００３５】
第２番節１４ないし元節１７の先端部にリングＲ１〜Ｒ４が装着されている。このリングＲ１〜Ｒ４は、第２番節１４ないし元節１７の先端部の剛性を向上させ、隣り合う節の嵌合を確実なものとする。また、第４番節１６の先端部分に図示しない釣糸導入孔が設けられており、この釣糸導入孔に釣糸を導くための導入ガイド１９が取り付けれている。なお、上記トップガイド１８及び導入ガイド１９は、既知の構成であるので、その詳しい説明は省略される。
【００３６】
元節１７は、リールシート２０を備えている。リールシート２０は、釣用リール（図示せず）を着脱自在に保持するためのものであり、本実施形態では、リールシート２０は、元節１７と一体的に形成されている。同図が示すように、本実施形態では、リールシート２０は、上記グリップ１２を兼ねており、実釣において釣人がリールシート２０を把持して釣竿１０及びリールを操作する。本実施形態の特徴とするところは、このリールシート２０の構造である。すなわち、このリールシート２０は、後に詳述されるように、釣人が違和感なく握ることができるような外形形状に形成されており、しかも、リールの着脱操作を容易に行うことができるようになっている。
【００３７】
なお、本実施形態では、釣竿１０はインナーガイドタイプであるが、上記リールシート２０は、いわゆるアウターガイドロッドにも適用され得る。
【００３８】
＜２．リールシートの構造＞
【００３９】
図２は、リールシート２０の斜視図である。同図は、リールシート２０にリール２６が装着された状態を示している。
【００４０】
リールシート２０は、(1) 載置面２３を有するシート本体２４と、(2) 固定フード２１と、(3) 矢印３０の方向に沿ってスライド移動することによって固定フード２１に対して近接し、離反する可動フード２２と、(4) 可動フード２２のスライドを規制するロック機構２５とを備えている。以下、リールシート２０の構造が詳細に説明される。
【００４１】
(1) シート本体
【００４２】
図３は、シート本体２４の斜視図である。
【００４３】
図２及び図３が示すように、シート本体２４は、元節１７と一体的に形成されており、前述のようにグリップ１２を兼ねている。すなわち、シート本体２４は、円筒状に形成されており、元節１７の一部を構成している。もっとも、このシート本体２４が独立した別部材として構成されていてもよい。たとえば、シート本体２４が樹脂等により円筒状に形成され、これが元節１７に外嵌されることによって元節１７に取り付けられていてもよい。シート本体２４の上面側に上記載置面２３が形成されている。この載置面２３は平面であり、リール２６の脚２７（図２参照）が載置されるようになっている。この載置面２３は、シート本体２４に形成された一対の平板部２８、２９により構成されている。各平板部２８、２９は、矢印３０の方向に直交する方向に対向して配置されている。これら平板部２８、２９が設けられることにより、各平板部２８、２９とシート本体２４の側面との間に一対の溝３１が形成されている。各溝３１は、上記矢印３０の方向に延びており、後述されるように可動フード２２のスライドを案内する。
【００４４】
シート本体２４は、スライド規制プレート３７を備えている。このスライド規制プレート３７は、たとえば樹脂プレートから構成され得る。本実施形態では、スライド規制プレート３７は、薄肉細長の平板からなり、上記平板部２８、２９の間に挟み込まれた状態で配置されている。スライド規制プレート３７は、複数のスライド規制片３２を備えている。これらスライド規制片３２は、上記矢印３０の方向、すなわち可動フード２２のスライド方向（以下、適宜「矢印３０の方向」は「スライド方向３０」と称される。）に並設されている。各スライド規制片３２は、上記載置面３２に直交する方向に凹凸する突起からなる。各スライド規制片３２の高さは所定寸法（たとえば０．５ｍｍ）に設定されており、各スライド規制片３２の上端は上記載置面３２と同一平面状に位置している。また、各スライド規制片３２は所定のピッチ（たとえば１ｍｍ）で並んでいる。本実施形態では、スライド規制プレート３７にスライド規制片３２が形成されているが、スライド規制プレート３７が省略され、シート本体２４にスライド規制片３２が立設されていてもよい。なお、後述されるように、このスライド規制片３２は、ロック機構２５の一部を構成する。
【００４５】
(2) 固定フード
【００４６】
固定フード２１は、シート本体２４と一体的に形成されている。固定フード２１は、上記載置面２３の前方（すなわち、図１が示すように、上記スライド方向３０の竿先側）に配置されている。固定フード２１は既知の構造を有する。すなわち、固定フード２１は、開口３３を有する収容部３４を備えており、ドーム状に形成されている。図２が示すように、リールの脚２７の一方３８は、開口３３を通じて収容部３４に挿入され保持されるようになっている。本実施形態では、収容部３４に樹脂パッド３５が取り付けられている。この樹脂パッド３５によって開口３３の周縁部が覆われている。上記脚２７の一方３８が収容部３４に挿入された状態で、当該脚２７が樹脂パッド３５に当接する。これにより、脚２７の一方３８が強固に固定された場合であっても、脚２７の一方３８及び固定フード２１が損傷することが防止される。本実施形態では、固定フード２１がシート本体２４と一体的に形成されているが、固定フード２１が独立した部品として構成され、これがシート本体２４に取り付けられていてもよいことは勿論である。
【００４７】
なお、シート本体２４は化粧板３６を備えている。この化粧板３６は上記載置面２３の後端に取り付けられている。この化粧板３６は、上記載置面２３とシート本体２４の外周面とを滑らかに連続する。これにより、リールシート２０の外周面が滑らかになり、外観が向上している。また、化粧板３６は、シート本体２４に取り付けられることにより、上記溝３１の後端（すなわち、上記スライド方向３０の竿尻側の端部）を規定する。化粧板３６が取り外されると、上記溝３１の後端が露出し、この状態で可動フード２２がシート本体２４に嵌め込まれるようになっている。
【００４８】
(3) 可動フード及び操作レバー
【００４９】
図４は、リールシート２０の要部拡大斜視図である。
【００５０】
可動フード２２は、後に詳述されるように、シート本体２４の平板部２８、２９（図３及び図４参照）に嵌め合わされており、この平板部２８、２９に沿ってスライドすることができるようになっている。これにより、可動フード２２は、矢印３０の方向に沿ってスライドし、固定フード２１に接近することができ、離反することができる。
【００５１】
図５は、可動フード２２の拡大斜視図である。また、図６は、可動フード２２の分解斜視図である。
【００５２】
図２、図４及び図５が示すように、可動フード２２は、フード本体４０と、上記スライド規制片３２に係合する係止爪４１（図５参照）とを備えている。また、可動フード２２に操作レバー４２が設けられている。この操作レバー４２は、上記係止爪４１を変位させるための部材である。なお、後述されるように、係止爪４１、操作レバー４２は、ロック機構２５の一部を構成する。
【００５３】
図５及び図６が示すように、フード本体４０は、たとえば鋼板を折曲加工することにより構成されている。フード本体４０は既知の構造を有する。すなわち、フード本体４０は、断面形状がＣ字状を呈するようにドーム状に形成されており、内部に収容室４３が設けられている。フード本体４０の上面に開口４７が設けられている。この開口４７の周縁部４８は、係止爪４１を載置する取付座を構成している。フード本体４０の下縁部は、Ｌ字状に折り曲げられ、係合片４６を構成している。すなわち、この係合片４６は、フード本体４０の内側に突出しており、この係合片４６がシート本体２４に設けられた溝３１（図４参照）に嵌め込まれている。これにより、フード本体４０は、シート本体２４に装着され、矢印３０の方向にのみスライドすることができる。なお、フード本体４０は前述の要領でシート本体２４に着脱される。すなわち、図３が示すように、化粧板３６が取り外された状態で上記溝３１の後端が露出するので、その状態でフード本体４０の係合片４６が溝３１に嵌め込まれる。フード本体４０がシート本体２４に装着された状態で化粧板３６が取り付けられることにより、フード本体４０はシート本体２４から脱落することが防止される。
【００５４】
図５及び図６が示すように、フード本体４０の収容室４３に連通するように開口４４が設けられている。リールの脚２７の他方３９（図２及び図４参照）は、開口４４を通じて収容室４３に挿入され保持されるようになっている。具体的には、可動フード２２が固定フード２１側へスライドされ、これにより、上記脚２７は、固定フード２１及び可動フード２２によって確実に挟持される。固定フード２１と同様に、本実施形態では、収容室４３に樹脂パッド４５が取り付けられている。この樹脂パッド４５によって開口４４の周縁部が覆われている。上記脚２７の他方３９が収容室４３に挿入された状態で、当該脚２７が樹脂パッド４５に当接する。これにより、脚２７の他方３９が強固に固定された場合であっても、脚２７の他方３９及びフード本体４０が損傷することが防止される。
【００５５】
図５及び図６が示すように、係止爪４１は、ベース４９と変位部５０とを備えている。係止爪４１は、既知の構造を有し、弾性材（典型的にはバネ鋼）により構成される。ベース４９は、細長平板からなり、上記開口４７の周縁部４８に架け渡すように配置されている。変位部５０も矩形平板からなる。変位部５０は、図６が示すようにベース４９と一体的に形成されており、後方（すなわち、上記スライド方向３０の竿尻側）に延びている。図６が示すように、変位部５０の端部は折り曲げられており、谷部５１及び山部５２が形成されている。
【００５６】
換言すれば、変位部５０は、ベース４９に対して片持ち状に連続しており、上記開口４７に対して進退する方向、すなわち上記載置面２３（図３参照）に直交する方向（矢印５３の方向）に弾性的に変位する。具体的には、変位部５０は、第１姿勢と第２姿勢との間で変位する。この場合、第１姿勢とは、変位部５０が上記載置面２３の方向に弾性的に変位して山部５２の先端５４が上記スライド規制片３２に当接係合した姿勢である。また、第２姿勢とは、図６が示す姿勢であって、第１姿勢における変位部５０の弾性変形が復元され、変位部５０が上記スライド規制片３２から離反した姿勢である。なお、同図が示すように、本実施形態では、変位部５０は、常時第２姿勢となるように形成されている。
【００５７】
図７は、操作レバー４２の斜視図である。
【００５８】
同図が示すように、操作レバー４２は、レバー本体５５と、延設部６０と、取付脚部５６とを有する。操作レバー４２は、たとえばステンレス鋼、真鍮その他の耐腐食性に優れた金属あるいは樹脂等からなり、レバー本体５５、延設部６０及び取付脚部５６が一体的に形成されている。後に詳述されるが、操作レバー４２は、図２、図４が示すように倒伏した姿勢（倒伏姿勢）と、図５が示すように起立した姿勢（起立姿勢）との間で自由に姿勢変化が可能となっている。
【００５９】
取付脚部５６は、ベース５７と、ベース５７の両側に突設された一対の支持軸５８（回動中心軸）とを有する。ベース５７は矩形状の平板であり、このベース５７に支持軸５８が一体的に形成されている。支持軸５８はベース５７に連続する平板からなり、三角形状を呈する。図５及び図６が示すように、取付脚部５６は、フード本体４０の開口４７を通じてフード本体４０の内側に挿入される。そして、ベース５７が上記係合爪４１の変位部５０に対して上方から押圧するように当接し、一対の支持軸５８が上記開口４７の周縁部４８にフード本体４０の内側から当接する。このとき、ベース５７が変位部５０を押さえ付けるから、変位部５０は第２姿勢側へ若干弾性的に変位する。したがって、支持軸５８は、変位部５０の弾性変形に起因した弾性力でフード本体４０の内側に押し付けられ、その結果、支持軸５８は、軸方向５９（ベース５７から突出する方向）を中心に回動自在な状態でフード本体４０に支持される。つまり、操作レバー４２は、軸方向５９を中心にして起立姿勢（図５参照）と倒伏姿勢（図４参照）との間で自由に姿勢変化することができるようになっている。
【００６０】
また、取付脚部５６がフード本体４０に挿入されると、ベース５７の先端が係合爪４１の谷部５１に当接する。取付脚部５６が支持軸５８を中心に回動すれば、ベース５７は係合爪４１を下方へ（上記載置面２３側へ）押圧するようになっている。ベース５７が係合爪４１を押圧することによる作用効果については後述される。
【００６１】
図７が示すように、レバー本体５５は、平板からなる。平板は若干湾曲されており、これにより、レバー本体５５はドーム状に形成されている。レバー本体５５の幅寸法６１は、フード本体４０の幅寸法に合致している。したがって、図２が示すように、操作レバー４２が倒伏姿勢となったときは、レバー本体５５がフード本体４０から側方に突出することはなく、レバー本体５５の側縁がフード本体４０の側面と同一面上に配置され、レバー本体５５の外面とフード本体４０の外面とが滑らかに連続する。また、レバー本体５５がドーム状に形成されているから、操作レバー４２が倒伏姿勢となったときは、フード本体４０の上面を覆う滑らかな曲面を構成する。
【００６２】
図７が示すように、延設部６０は、レバー本体５５の先端に連続して形成されている。延設部６０は、図５及び図６が示すように略Ｃ字状に形成されており、被覆部６２及び一対の摘み部６３を備えている。図２が示すように、被覆部６２は、レバー本体５５から固定フード２１側へ延びている。図４が示すように、被覆部６２は、レバー本体５５に対して若干屈曲している。これにより、被覆部６２は、リールの脚２７の他方３９に滑らかに近接するように延びている。しかも、被覆部６２の先端部６４は、上記脚２７の他方３９にさらに近接するように湾曲されている。これにより、被覆部６２と上記脚２７の他方３９とが滑らかに連続され、両者間に急激な段差が形成されることはない。
【００６３】
一対の摘み部６３は、被覆部６２の先端部の両側面に設けられている。本実施形態では、各摘み部６３は、左右対称に配置されている。各摘み部６３は被覆部６２と一体的に形成されており、図２及び図４が示すように、被覆部６２から下方に（シート本体２４の載置面２３側に）延びている。本実施形態では、摘み部６３は、半円形に形成されており、釣人が指で摘み易い形状となっている。摘み部６３の外面は、被覆部６２の側面と略同一平面上に配置されている。したがって、図２が示すように、操作レバー４２が倒伏姿勢となったときは、レバー本体５５の外面、延設部６０の外面及びフード本体４０の外面が滑らかに連続し、これら相互の間に段差が形成されることはない。
【００６４】
(4) ロック機構
【００６５】
ロック機構２５は、前述のように、可動フード２２がスライド方向３０へスライドすることを規制する。ロック機構２５は、上記スライド規制片３２（図２及び図３参照）と、上記係止爪４１（図６参照）と、上記操作レバー４２とを備えている。これらスライド規制片３２、係止爪４１及び操作レバー４２の構造は前述の通りであるから、その説明は省略される。
【００６６】
操作レバー４２が起立姿勢となったときは（図５参照）、図６が示すように、ベース５７の先端は軸方向５９を中心に回動して上方へ変位する。すなわちベース５７の先端は、載置面２３（図３参照）から離れる方向に移動する。このため、係止爪４１が第１姿勢から第２姿勢へと弾性的に変位し、変位部５０がスライド規制片３２から離反する。したがって、可動フード２２は、スライド方向３０に沿ってスライド自在（移動可能）となる。可動フード２２がスライド方向３０の後側にスライドした状態で、リールの脚２７が載置面２３上に載置される。そして、可動フード２２がスライド方向３０の前方へスライドされることにより、脚２７は固定フード２１及び可動フード２２によって挟持される。この状態で操作レバー４２が倒伏姿勢に変化される。操作レバー４２が起立姿勢から倒伏姿勢へ変化すると（図４参照）、ベース５７の先端は軸方向５９を中心に回動して下方へ変位する（図６参照）。すなわち、ベース５７の先端は、載置面２３（図３参照）側へ移動し、ベース５７に押された係止爪４１が第２姿勢から第１姿勢へと変位する。これにより、変位部５０がスライド規制片３２に当接係合し、可動フード２２のスライドが規制される。つまり、可動フード２２が移動不能となり、リールがリールシート２０に固定される。
【００６７】
＜３．リールシートの作用・効果＞
【００６８】
操作レバー４２が倒伏姿勢に変化すると、図４が示すように、レバー本体５５がフード本体４０の上面を覆い、フード本体４０の側面との間に段差を形成することなくフード本体４０の側面と滑らかに連続する（図２参照）。しかも、レバー本体５５に連続する延設部６０はドーム形状に形成され且つ固定フード２１側へ延びているから、リールの脚２７の他方３９に滑らかに連続する。したがって、釣人は、リールが装着されたリールシート２０を違和感なく把持することができ、実釣において釣竿１０を長時間にわたって快適に操作することができるし、仮に大型の魚が掛かった場合であっても、手や指に痛みを感じることはない。
【００６９】
また、操作レバー４２に摘み部６３が設けられているから、操作レバー４２とフード本体４０とが滑らかに連続することによって釣人が指を掛ける部位が存在しなくても、釣人は、摘み部６３を把持して操作レバー４２を簡単に操作し、可動フード２２をスライドさせることができる。しかも、この摘み部６３は、操作レバー４２の先端部に設けられているから、釣人は、操作レバー４２をきわめて容易に操作することができる。その結果、釣人は、リールの着脱を容易に行うことができる。なお、摘み部６３は載置面２３側へ延びているから、摘み部６３が設けられることによって操作レバーとフード本体４０との間に段差や突起が形成されることはない。
【００７０】
本実施形態では、摘み部６３は、レバー本体５５の両側に左右対称に配置されているから、釣人は、摘み部６３を把持しやすく、きわめて容易に操作レバー４２を操作することができるという利点がある。
【００７１】
また、本実施形態では、摘み部６３は、上記載置面２３側に凸となる半円形に形成されているから、釣人にとって非常に把持し易いという利点があり、さらに、簡単且つ安価に構成されるという利点もある。
【００７２】
＜４．実施形態の変形例＞
【００７３】
次に、本実施形態の変形例について説明される。
【００７４】
図８は、本実施形態の変形例に係るリールシートの要部拡大斜視図である。
【００７５】
本変形例に係るリールシート６５が上記実施形態に係るリールシート２０と異なるところは、上記リールシート２０では、操作レバー４２の摘み部６３が半円形に形成されていたのに対して、本変形例に係るリールシート６５では、摘み部６３に切欠部６６が設けれている点、及び操作レバー４２が倒伏姿勢にあるときは、上記載置面２３に対する摘み部６３の下縁６７の高さは、上記載置面２３に対するフード本体４０の下縁６８の高さと同一となるように設定されている点である。なお、リールシート６５のその他の構成については上記実施形態に係るリールシート２０と同様である。
【００７６】
上記切欠部６６は、左右の摘み部６３に対称に形成されている。この切欠部６６は、固定フード２１側に凹むように滑らかに形成されている。これにより、釣人が摘み部６３を指で摘んだときは、釣人の指は、フード本体４０摘み部６３との間に食い込む。したがって、釣人の指は、この切欠部６６に引っ掛かる。したがって、釣人は、操作レバー４２の起立操作を一層容易に行うことができるという利点がある。
【００７７】
また、操作レバー４２が倒伏された状態で、摘み部６３の下縁６７とフード本体４０の下縁６８とが同一レベルに配置されるから、摘み部６３とフード本体４０とがより一層滑らかに連続する。その結果、釣人は、リールシート６５及びリール２６をより一層握り易くなる。
【産業上の利用可能性】
【００７８】
本発明は、釣用リールを装着するリールシートに適用され得る。
【図面の簡単な説明】
【００７９】
【図１】図１は、本発明の一実施形態に係る釣竿の正面図である。
【図２】図２は、本発明の一実施形態に係るリールシートの斜視図である。
【図３】図３は、本発明の一実施形態に係るリールシートのシート本体の斜視図である。
【図４】図４は、本発明の一実施形態に係るリールシートの要部拡大斜視図である。
【図５】図５は、本発明の一実施形態に係るリールシートの可動フードの拡大斜視図である。
【図６】図６は、本発明の一実施形態に係るリールシートの可動フードの分解斜視図である。
【図７】図７は、本発明の一実施形態に係るリールシートの操作レバーの斜視図である。
【図８】図８は、本実施形態の変形例に係るリールシートの要部拡大斜視図である。
【図９】図９は、従来のリールシートの構造を示す斜視図である。
【符号の説明】
【００８０】
１０・・・釣竿
１１・・・釣竿本体
２０・・・リールシート
２１・・・固定フード
２２・・・可動フード
２３・・・載置面
２４・・・シート本体
２５・・・ロック機構
２７・・・脚
２８・・・平板部
２９・・・平板部
３０・・・スライド方向
３１・・・溝
３７・・・スライド規制プレート
４０・・・フード本体
４１・・・係止爪
４２・・・操作レバー
４６・・・係合片
５５・・・レバー本体
５８・・・支持軸
５９・・・軸方向
６０・・・延設部
６３・・・摘み部
６６・・・切欠部
【図１】
0005041432.tif 000002
【図２】
0005041432.tif 000003
【図３】
0005041432.tif 000004
【図４】
0005041432.tif 000005
【図５】
0005041432.tif 000006
【図６】
0005041432.tif 000007
【図７】
0005041432.tif 000008
【図８】
0005041432.tif 000009
【図９】
0005041432.tif 000010